(57)【特許請求の範囲】
【請求項１】
階段の複数の蹴込み板に各々設けられた取付孔に投光開口を外方へ向けて挿入して取付けられるランプユニットと、このランプユニットの背面側から導出される電源線と、この電源線の端部に設けられたコネクタとを備えた階段用照明器具であって、前記ランプユニットは、前記投光開口に位置する開口部近傍が前記取付孔に圧接可能な本体と、前記本体の開口部に取付けられ前記取付孔の外側の周縁部に当接して位置決めされるランプセードとを有し、前記コネクタを前記取付孔に挿通可能に形成するとともに、前記電源線をこの電源線が導出されたランプユニットが取付く取付孔とこれに隣接する取付孔との階段内側を通る距離より長く形成し、隣接するランプユニットの電源線どうしを前記取付孔から階段内側に通して前記コネクタで接続して送り配線したことを特徴とする階段用照明器具。
【請求項２】
ランプユニットの背面側から電源線が導出されこの電源線の端部にコネクタが設けられた複数の配線ユニットと、一端に配線ユニットの電源線およびコネクタを係止可能な係止部を有する略Ｕ形で、他端から一端側へ屈曲した棒状部に対して前記係止部が弾性により揺動可能とした送り配線用治具とを用意する工程と、階段の複数の蹴込み板に取付孔を各々設ける工程と、前記配線ユニットの電源線およびコネクタを前記送り配線用治具の係止部に係止する工程と、前記電源線およびコネクタを係止した係止部を前記取付孔に差し込み前記送り配線用治具を回転させながら隣接する取付孔に前記係止部を向けて差し込む工程と、前記係止部を差し込むことにより隣接する取付孔から引き出された前記コネクタを次の配線ユニットと接続して送り配線する工程と、前記配線ユニットを前記送り配線用治具から取外すとともにこの送り配線用治具を前記取付孔から抜き取り前記次の配線ユニットの電源線およびコネクタを前記係止部に係止する工程とを含む階段用照明器具の施工方法。
【請求項３】
一端に配線ユニットの電源線およびコネクタを係止可能な係止部を有する略Ｕ形で、他端から一端側へ屈曲した棒状部に対して前記係止部が弾性により揺動可能としたことを特徴とする送り配線用治具。
【発明の詳細な説明】
【０００１】
【発明の属する技術分野】
この発明は、階段用照明器具およびその施工方法ならびに送り配線用治具に関するものである。
【０００２】
【従来の技術】
従来、階段用照明器具として用いる蛍階段光は階段の構成部材となっている。そのため、ランプユニットおよび配線処理は工場にて事前に階段に設置した状態で現場に納めている。
【０００３】
【発明が解決しようとする課題】
上記のように従来の階段用照明器具は、階段に組み込まれた状態となっているので、特定住宅会社などの新築需要に市場が限定されてしまい、現状ある住宅の階段のリニューアル市場に対応することができず、他の住宅会社商品への採用が見込まれないという問題があった。
【０００４】
したがって、この発明の目的は、各住宅会社商品等、階段の種類を問わず、階段が納入された後で簡単に階段内部への配線ができる階段用照明器具およびその施工方法ならびに送り配線用治具を提供することである。
【０００５】
【課題を解決するための手段】
上記課題を解決するためにこの発明の請求項１記載の階段用照明器具は、階段の複数の蹴込み板に各々設けられた取付孔に投光開口を外方へ向けて挿入して取付けられるランプユニットと、このランプユニットの背面側から導出される電源線と、この電源線の端部に設けられたコネクタとを備えた階段用照明器具であって、前記ランプユニットは、前記投光開口に位置する開口部近傍が前記取付孔に圧接可能な本体と、前記本体の開口部に取付けられ前記取付孔の外側の周縁部に当接して位置決めされるランプセードとを有し、前記コネクタを前記取付孔に挿通可能に形成するとともに、前記電源線をこの電源線が導出されたランプユニットが取付く取付孔とこれに隣接する取付孔との階段内側を通る距離より長く形成し、隣接するランプユニットの電源線どうしを前記取付孔から階段内側に通して前記コネクタで接続して送り配線したことを特徴とする。
【０００６】
このように、ランプユニットは、投光開口に位置する開口部近傍が取付孔に圧接可能な本体と、本体の開口部に取付けられ取付孔の外側の周縁部に当接して位置決めされるランプセードとを有し、コネクタを取付孔に挿通可能に形成するとともに、電源線をこの電源線が導出されたランプユニットが取付く取付孔とこれに隣接する取付孔との階段内側を通る距離より長く形成し、隣接するランプユニットの電源線どうしを取付孔から階段内側に通してコネクタで接続して送り配線したので、現状ある住宅の階段や他の住宅会社商品のように階段が既に納められた状態でも後から施工ができ、照明器具としても従来商品と同等の効果が得られる。
【０００７】
請求項２記載の階段用照明器具の施工方法は、ランプユニットの背面側から電源線が導出されこの電源線の端部にコネクタが設けられた複数の配線ユニットと、一端に配線ユニットの電源線およびコネクタを係止可能な係止部を有する略Ｕ形で、他端から一端側へ屈曲した棒状部に対して前記係止部が弾性により揺動可能とした送り配線用治具とを用意する工程と、階段の複数の蹴込み板に取付孔を各々設ける工程と、前記配線ユニットの電源線およびコネクタを前記送り配線用治具の係止部に係止する工程と、前記電源線およびコネクタを係止した係止部を前記取付孔に差し込み前記送り配線用治具を回転させながら隣接する取付孔に前記係止部を向けて差し込む工程と、前記係止部を差し込むことにより隣接する取付孔から引き出された前記コネクタを次の配線ユニットと接続して送り配線する工程と、前記配線ユニットを前記送り配線用治具から取外すとともにこの送り配線用治具を前記取付孔から抜き取り前記次の配線ユニットの電源線およびコネクタを前記係止部に係止する工程とを含む。
【０００８】
このように、複数の配線ユニットと、一端に配線ユニットの電源線およびコネクタを係止可能な係止部を有する略Ｕ形で、他端から一端側へ屈曲した棒状部に対して前記係止部が弾性により揺動可能とした送り配線用治具を用意し、階段の複数の蹴込み板に取付孔を各々設け、配線ユニットの電源線およびコネクタを送り配線用治具の係止部に係止し、この係止部を取付孔に差し込み送り配線用治具を回転させながら隣接する取付孔に係止部を向けて差し込み、隣接する取付孔に係止部を差し込むことにより引き出されたコネクタを次の配線ユニットと接続して送り配線し、配線ユニットを送り配線用治具から取外すとともにこの送り配線用治具を取付孔から抜き取り次の配線ユニットの電源線およびコネクタを係止部に係止するので、送り配線用治具を用いて同様の作業を各取付孔において順次を行うことで階段用照明器具を施工することができる。このため、現状ある住宅の階段や他の住宅会社商品のように階段が既に納められた状態でも後から簡単に施工ができる。
【０００９】
請求項３記載の送り配線用治具は、一端に配線ユニットの電源線およびコネクタを係止可能な係止部を有する略Ｕ形で、他端から一端側へ屈曲した棒状部に対して前記係止部が弾性により揺動可能としたことを特徴とする。
【００１０】
このように、一端に配線ユニットの電源線およびコネクタを係止可能な係止部を有する略Ｕ形で、他端から一端側へ屈曲した棒状部に対して係止部が弾性により揺動可能としたので、階段の複数の蹴込み板に取付孔を各々設けることで複数の配線ユニットを階段に組み込むことができる。この場合、配線ユニットの電源線およびコネクタを送り配線用治具の係止部に係止し、この係止部を取付孔に差し込み送り配線用治具を回転させながら隣接する取付孔に係止部を向けて差し込む。このとき、送り配線用治具が弾性を有するので階段の内側に壁などがある場合でも柔軟に曲がり狭いスペースでも簡単に入り込むことができる。この後、隣接する取付孔から引き出されたコネクタを次の配線ユニットと接続して送り配線し、送り配線用治具を取付孔から抜き取ることで、階段が既に納められた状態でも簡単に施工できる。
【００１１】
【発明の実施の形態】
この発明の実施の形態の階段用照明器具を図１ないし図１３に基づいて説明する。図１はこの発明の実施の形態の階段用照明器具の施工完了状態の斜視図、図２はその要部断面図、図３はこの発明の実施の形態においてランプユニットの照射角度の調整方法を示す説明図である。
【００１２】
図１および図２に示すように、階段の複数の蹴込み板１の各々に設けた取付孔２に照明器具を構成する配線ユニット３が組み込まれている。配線ユニット３は、取付孔２に投光開口を外方へ向けて挿入して取付けられるＬＥＤランプユニット４と、このランプユニット４の背面側から導出される電源線５と、この電源線５の端部に設けられたコネクタ６とからなる。この場合、ランプユニット４は本体７とその開口部に取付けたランプセード８とを備えている。本体７の開口部近傍の外周面には弾性材からなるリブ９が設けてあり、取付孔２の内周面に圧接することでその摩擦で簡単に固定することが可能である。取付状態ではランプセード８の鍔部１０が取付孔２の周縁部に当接して位置決めされる。また、図３（ａ）に示すように、ランプセード８の前面に指で操作可能なつまみ１１が設けてある。このつまみ１１は、図３（ｂ）〜（ｄ）のようにランプユニット４の取付後に操作することで光の方向性のばらつきをなくすことができる。
【００１３】
また、コネクタ６を取付孔２に挿通可能に形成するとともに、電源線５をこの電源線５が導出されたランプユニット４が取付く取付孔２とこれに隣接する取付孔２との階段内側を通る距離より長く形成し、隣接するランプユニット４の電源線５どうしを取付孔２から階段内側に通してコネクタ６で接続して送り配線している。
【００１４】
つぎに、上記構成の階段用照明器具の施工方法について説明する。図４はこの発明の実施の形態の階段用照明器具の施工方法で取付孔の位置決めおよび加工を示す施工説明図、図５はガイド治具の斜視図である。図４に示すように、階段の複数の蹴込み板１にドリル１５とガイド治具１６を用いて取付孔２を各々設ける。ガイド治具１６は、図５に示すように、一端に階段の側桁２２に当接する当接部１７ａを有し長孔１７ｂを設けた水平片１７と、この水平片１７の長孔１７ｂに対して水平方向に移動自在に固定つまみねじ２０により固定され長孔１８ａを設けた垂直片１８と、この垂直片１８の長孔１８ａに対して垂直方向に移動自在に固定つまみねじ２１により固定され上端に階段の踏板２３に当接する当接部１９ａを有し孔部１９ｂを設けたスライド片１９とからなる。この場合、階段の各種幅寸法に応じて垂直片１８を左右にスライドし、また蹴込み板２の高さ寸法に応じてスライド片１９を上下にスライドしてガイド治具１６を位置決めし、孔部１９ｂよりポンチ２４を打った後その位置をドリル１５で穴加工する。
【００１５】
図６は図４の後工程の送り配線作業を示す施工説明図、図７はこの発明の実施の形態の送り配線用治具を示す斜視図、図８は送り配線用治具の使用状態を示す説明図である。図６に示すように、送り配線作業は送り配線用治具３０を用いて行う。この送り配線用治具３０は、図７に示すように、一端に配線ユニット３の電源線５およびコネクタ６を係止可能な係止部３１を有する略Ｕ形で、他端から一端側へ屈曲した棒状部３２と係止部３１とが弾性変形可能なばね部３３で連結されている。係止部３１は、電源線５およびコネクタ６を挟み込むＣ形に屈曲した形状である。この場合、把持部となる送り配線用治具３０の他端も一端と同様の形状にしてある。ばね部３３は例えば強いばね性を有するコイルばねにすることで全体形状が保持されている。そして、図８に示すように、配線ユニット３の電源線５およびコネクタ６を送り配線用治具３０の係止部３１に係止して取付孔２に差し込む。なお、同図では係止部３１に係止するコネクタ６を凹形としたが凸形でもよい。
【００１６】
図９および図１０は図６の後工程の送り配線作業を示す施工説明図、図１１は図１０の後工程の次の配線ユニットとの結合を示す施工説明図、図１２は図１１の後工程の次の配線ユニットの取付けを示す施工説明図である。図９および図１０に示すように、送り配線用治具３０を回転させながら隣接する１段下の蹴込み板１の取付孔２に係止部３１を向けて差し込む作業を行う。この後、図１１に示すように、係止部３１を差し込むことにより隣接する取付孔２から引き出されたコネクタ６を次の配線ユニット３と接続する。この場合、ランプユニット４から送り用の電源線５およびコネクタ６とは別に接続用の電源線５ａおよびコネクタ６ａが導出されており、コネクタ６，６ａを結合して電源線５，５ａ結線して送り配線する。この後、配線ユニット３を送り配線用治具３０から取外し、送り配線用治具３０を取付孔２から抜き取り、図１２に示すように次の配線ユニット３の電源線５およびコネクタ６を送り配線用治具３０の係止部３１に同様に係止して取付け、同じ手順で作業を繰り返す。なお、階段の踊り場を挟んで送り配線する際には送り配線用治具３０をそれに応じた長さにする。
【００１７】
図１３はコントローラユニットとの結合を示す施工説明図である。図１３に示すように、階段の最下段の蹴込み板１の取付孔２に取付ける配線ユニット３にはコントローラユニット３５への結線コネクタ３６が送り用コネクタとして取付けてある。コントローラユニット３５は１２Ｖ仕様（ダウントランス）であり壁３７の内側に設けてある。そして、コントローラユニット３５と１００Ｖ配線を結線する。次に結線コネクタ３６とコントローラユニット３５を結線する。この場合、送り配線は基本的に送り配線用治具３０を壁３７側へ向けてもっていく。なお、コントローラユニット３５の位置などにより送り配線用治具３０の長さが変わる場合がある。これらの工程により図１に示すような階段用照明器具が完成する。
【００１８】
以上のようにこの実施の形態によれば、コネクタ６を取付孔２に挿通可能に形成するとともに、電源線５をこの電源線５が導出されたランプユニット４が取付く取付孔２とこれに隣接する取付孔２との階段内側を通る距離より長く形成し、隣接するランプユニット４の電源線５どうしを取付孔２から階段内側に通してコネクタ６で接続して送り配線したので、現状ある住宅の階段や他の住宅会社商品のように階段が既に納められた状態でも後から簡単に施工ができ、照明器具としても従来商品と同等の効果が得られる。
【００１９】
なお、送り配線用治具は棒状部に対して係止部が弾性により揺動可能であれば、ばね部を設けなくてもよい。
【００２０】
【発明の効果】
この発明の請求項１記載の階段用照明器具によれば、ランプユニットは、投光開口に位置する開口部近傍が取付孔に圧接可能な本体と、本体の開口部に取付けられ取付孔の外側の周縁部に当接して位置決めされるランプセードとを有し、コネクタを取付孔に挿通可能に形成するとともに、電源線をこの電源線が導出されたランプユニットが取付く取付孔とこれに隣接する取付孔との階段内側を通る距離より長く形成し、隣接するランプユニットの電源線どうしを取付孔から階段内側に通してコネクタで接続して送り配線したので、現状ある住宅の階段や他の住宅会社商品のように階段が既に納められた状態でも後から施工ができ、照明器具としても従来商品と同等の効果が得られる。このように、ランプユニットの設置、配線処理等を後付けできることで、現状ある住宅の階段のリニューアル市場および他の住宅会社商品への対応ができるため市場規模の拡大が見込める。
【００２１】
この発明の請求項２記載の階段用照明器具の施工方法によれば、複数の配線ユニットと、一端に配線ユニットの電源線およびコネクタを係止可能な係止部を有する略Ｕ形で、他端から一端側へ屈曲した棒状部に対して前記係止部が弾性により揺動可能とした送り配線用治具を用意し、階段の複数の蹴込み板に取付孔を各々設け、配線ユニットの電源線およびコネクタを送り配線用治具の係止部に係止し、この係止部を取付孔に差し込み送り配線用治具を回転させながら隣接する取付孔に係止部を向けて差し込み、隣接する取付孔に係止部を差し込むことにより引き出されたコネクタを次の配線ユニットと接続して送り配線し、配線ユニットを送り配線用治具から取外すとともにこの送り配線用治具を取付孔から抜き取り次の配線ユニットの電源線およびコネクタを係止部に係止するので、送り配線用治具を用いて同様の作業を各取付孔において順次を行うことで階段用照明器具を施工することができる。このため、現状ある住宅の階段や他の住宅会社商品のように階段が既に納められた状態でも後から簡単に施工ができる。
【００２２】
この発明の請求項３記載の送り配線用治具によれば、一端に配線ユニットの電源線およびコネクタを係止可能な係止部を有する略Ｕ形で、他端から一端側へ屈曲した棒状部に対して係止部が弾性により揺動可能としたので、階段の複数の蹴込み板に取付孔を各々設けることで複数の配線ユニットを階段に組み込むことができる。この場合、配線ユニットの電源線およびコネクタを送り配線用治具の係止部に係止し、この係止部を取付孔に差し込み送り配線用治具を回転させながら隣接する取付孔に係止部を向けて差し込む。このとき、送り配線用治具が弾性を有するので階段の内側に壁などがある場合でも柔軟に曲がり狭いスペースでも簡単に入り込むことができる。この後、隣接する取付孔から引き出されたコネクタを次の配線ユニットと接続して送り配線し、送り配線用治具を取付孔から抜き取ることで、階段が既に納められた状態でも簡単に施工できる。
【図面の簡単な説明】
【図１】この発明の実施の形態の階段用照明器具の施工完了状態の斜視図である。
【図２】図１の要部断面図である。
【図３】この発明の実施の形態においてランプユニットの照射角度の調整方法を示す説明図である。
【図４】この発明の実施の形態の階段用照明器具の施工方法で取付孔の位置決めおよび加工を示す施工説明図である。
【図５】ガイド治具の斜視図である。
【図６】図４の後工程の送り配線作業を示す施工説明図である。
【図７】この発明の実施の形態の送り配線用治具を示す斜視図である。
【図８】送り配線用治具の使用状態を示す説明図である。
【図９】図６の後工程の送り配線作業を示す施工説明図
【図１０】図９の後工程の送り配線作業を示す施工説明図である。
【図１１】図１０の後工程の次の配線ユニットとの結合を示す施工説明図
【図１２】図１１の後工程の次の配線ユニットの取付けを示す施工説明図である。
【図１３】コントローラユニットとの結合を示す施工説明図である。
【符号の説明】
１  蹴込み板
２  取付孔
３  配線ユニット
４  ランプユニット
５  電源線
６  コネクタ
３０  送り配線用治具
３１  係止部
３２  棒状部
３３  ばね部
【図１】
0003656451.tif 000002
【図２】
0003656451.tif 000003
【図３】
0003656451.tif 000004
【図４】
0003656451.tif 000005
【図５】
0003656451.tif 000006
【図６】
0003656451.tif 000007
【図７】
0003656451.tif 000008
【図８】
0003656451.tif 000009
【図９】
0003656451.tif 000010
【図１０】
0003656451.tif 000011
【図１１】
0003656451.tif 000012
【図１２】
0003656451.tif 000013
【図１３】
0003656451.tif 000014